(57)【要約】本出願は軸力センサ、ロボットグリッパーおよびロボットを提供する。軸力センサは、感知膜と少なくとも２つの信号組とを含む。感知膜は、内輪、外輪、および内輪と外輪との間に接続された接続部材を含む。接続部材は、検出される軸力の方向において他の荷重方向よりも柔軟である。各信号組は、信号送信機および信号受信機を含む。信号送信機は、内輪および外輪の一方に接続される。信号受信機は、内輪および外輪の他方に接続される。【選択図】図１
2021534425.tif 000002
【特許請求の範囲】
【請求項１】
内輪、外輪、および前記内輪と前記外輪との間に接続された接続部材を含む感知膜であって、前記接続部材は、その検出される軸力の方向において他の荷重方向よりも柔軟である、感知膜と、
少なくとも２つの信号組であって、前記少なくとも２つの信号組の各信号組は、前記内輪および前記外輪の一方に接続される信号送信機と、前記内輪および前記外輪の他方に接続される信号受信機とを含む、
軸力センサ。
【請求項２】
前記少なくとも２つの信号組は、前記感知膜の円周方向に沿って対向して配置される第１の信号組および第２の信号組を含む、
ことを特徴とする請求項１に記載の軸力センサ。
【請求項３】
前記信号送信機は磁石であり、前記信号受信機はホール効果センサである、
ことを特徴とする請求項２に記載の軸力センサ。
【請求項４】
前記第１の信号組の磁石の磁化方向と、前記第２の信号組の磁石の磁化方向とは、反対であり、
前記第１の信号組の磁石の磁化方向と、前記第２の信号組の磁石の磁化方向とは、前記感知膜の延長方向と実質的に垂直であり、
前記第１の信号組および前記第２の信号組の各信号組における前記ホール効果センサは、前記感知膜の径方向に沿って、対応する前記磁石から離間して配置される、
ことを特徴とする請求項３に記載の軸力センサ。
【請求項５】
保持構造をさらに含み、
前記内輪に中心孔が設けられ、
前記保持構造は、
前記中心孔を貫通し、前記内輪に接続される中軸と、
前記中軸に接続され、前記感知膜と実質的に平行に延びる支持板と、を含む、
ことを特徴とする請求項１に記載の軸力センサ。
【請求項６】
前記支持板に取り付けられ、前記感知膜の円周方向において前記少なくとも２つの信号組に対応する位置に配置されるシールド構造をさらに含み、
前記シールド構造は、前記少なくとも２つの信号組を封止して前記少なくとも２つの信号組を信号干渉から保護する、
ことを特徴とする請求項５に記載の軸力センサ。
【請求項７】
前記支持板に取り付けられ、前記外輪を取り囲むハードストップをさらに含み、
前記ハードストップと前記外輪の上側および下側の両方との間にクリアランスが存在し、前記ハードストップは前記外輪の過度の歪みを防止する、
ことを特徴とする請求項５に記載の軸力センサ。
【請求項８】
前記信号送信機は前記外輪に取り付けられ、
前記信号受信機は、前記支持板に取り付けられ、前記感知膜の軸方向または径方向において前記信号送信機と位置合わせされている、
ことを特徴とする請求項５に記載の軸力センサ。
【請求項９】
前記信号受信機は前記外輪に取り付けられ、
前記信号送信機は、前記支持板に取り付けられ、前記感知膜の軸方向または径方向において前記信号受信機と位置合わせされている、
ことを特徴とする請求項５に記載の軸力センサ。
【請求項１０】
キャッチ機構と、前記キャッチ機構に作用する力を測定する軸力センサとを含み、
前記軸力センサは、
内輪、外輪、および前記内輪と前記外輪との間に接続された接続部材を含む感知膜であって、前記接続部材は、その検出される軸力の方向において他の荷重方向よりも柔軟である感知膜と、
少なくとも２つの信号組であって、前記少なくとも２つの信号組の各信号組は、前記内輪および前記外輪の一方に接続される信号送信機と、前記内輪および前記外輪の他方に接続される信号受信機とを含む、
ロボットグリッパー。
【請求項１１】
前記少なくとも２つの信号組は、前記感知膜の円周方向に沿って対向して配置される第１の信号組および第２の信号組を含む、
ことを特徴とする請求項１０に記載のロボットグリッパー。
【請求項１２】
前記信号送信機は磁石であり、前記信号受信機はホール効果センサであり、
前記第１の信号組の磁石の磁化方向と、前記第２の信号組の磁石の磁化方向とは、反対であり、
前記第１の信号組の磁石の磁化方向と、前記第２の信号組の磁石の磁化方向とは、前記感知膜の延長方向と実質的に垂直であり、
前記第１の信号組および前記第２の信号組の各信号組における前記ホール効果センサは、前記感知膜の径方向に沿って、対応する前記磁石から離間して配置される、
ことを特徴とする請求項１１に記載のロボットグリッパー。
【請求項１３】
前記軸力センサは保持構造をさらに含み、前記内輪に中心孔が設けられ、
前記保持構造は、
前記中心孔を貫通し、前記内輪に接続される中軸と、
前記中軸に接続され、前記感知膜と実質的に平行に延びる支持板とを含む、
ことを特徴とする請求項１０に記載のロボットグリッパー。
【請求項１４】
前記軸力センサは、前記支持板に取り付けられ、前記感知膜の円周方向において前記少なくとも２つの信号組に対応する位置に配置されるシールド構造をさらに含み、
前記シールド構造は、前記少なくとも２つの信号組を封止し、前記少なくとも２つの信号組を信号干渉から保護する、
ことを特徴とする請求項１３に記載のロボットグリッパー。
【請求項１５】
前記軸力センサは、前記支持板に取り付けられ、前記外輪を取り囲むハードストップをさらに含み、
前記ハードストップと前記外輪の上側および下側の両方との間にクリアランスが存在し、前記ハードストップは前記外輪の過度の歪みを防止する、
ことを特徴とする請求項１３に記載のロボットグリッパー。
【請求項１６】
少なくとも１つの軸力センサを備えるロボットであって、
前記少なくとも１つの軸力センサにおける各軸力センサは、
内輪、外輪、および前記内輪と前記外輪との間に接続された接続部材を含む感知膜であって、前記接続部材はその検出される軸力の方向において他の荷重方向よりも柔軟である感知膜と、
少なくとも２つの信号組であって、前記少なくとも２つの信号組の各信号組は、前記内輪および前記外輪の一方に接続される信号送信機と、前記内輪および前記外輪の他方に接続される信号受信機とを含む、
ロボット。
【請求項１７】
前記少なくとも２つの信号組は、前記感知膜の円周方向に沿って対向して配置される第１の信号組および第２の信号組を含む、
ことを特徴とする請求項１６に記載のロボット。
【請求項１８】
前記信号送信機は磁石であり、前記信号受信機はホール効果センサであり、
前記第１の信号組の磁石の磁化方向と、前記第２の信号組の磁石の磁化方向とは、反対であり、
前記第１の信号組の磁石の磁化方向と、前記第２の信号組の磁石の磁化方向とは、前記感知膜の延長方向と実質的に垂直であり、
前記第１の信号組および前記第２の信号組の各信号組における前記ホール効果センサは、前記感知膜の径方向に沿って、対応する前記磁石から離間して配置される、
ことを特徴とする請求項１７に記載のロボット。
【請求項１９】
前記軸力センサは保持構造をさらに含み、前記内輪に中心孔が設けられ、
前記保持構造は、
前記中心孔を貫通し、前記内輪に接続される中軸と、
前記中軸に接続され、前記感知膜に平行に延びる支持板とを含む、
ことを特徴とする請求項１６に記載のロボット。
【請求項２０】
前記軸力センサは、
前記支持板に取り付けられ、前記感知膜の円周方向において前記少なくとも２つの信号組に対応する位置に配置されるシールド構造であって、前記少なくとも２つの信号組を封止し、前記少なくとも２つの信号組を信号干渉から保護するシールド構造と、
前記支持板に取り付けられ、前記外輪を取り囲むハードストップであって、前記ハードストップと前記外輪の上側および下側の両方との間にクリアランスが存在し、前記外輪の過度の歪みを防止するハードストップと、をさらに含む、
ことを特徴とする請求項１９に記載のロボット。
【発明の詳細な説明】
【技術分野】
【０００１】
（関連出願の参照）
本願は米国特許法第１１９条（e）節により、２０１８年０７月０２日に出願され、出願名称が「LOW CROSSTALK AXIAL FORCE SENSOR」で出願番号が６２／６９３０３４である米国特許出願に基づいて優先権を主張する。該米国特許出願の開示内容は、援用により本願に含まれている。
【０００２】
この発明は、センサ構造および技術に関し、特に軸力センサ、該軸力センサを備えるロボットグリッパーおよびロボットに関する。
【背景技術】
【０００３】
単軸ロードセルは、自動化産業ならびに研究室で広く使用されている。従来の単軸ロードセルは、通常、複雑な感知構造を必要とするストレインゲージを使用してたわみを測定する。使用されるセンサは、製造公差、温度変化、および衝撃荷重に敏感であり、頻繁な再校正が必要である。複数のストレインゲージは、通常、軸外荷重を補償するために、感知構造内で互いに対向する位置に取り付けられる。複数のストレインゲージは組立による誤差が生じやすい。
【発明の概要】
【０００４】
上記に鑑みて、本発明は、軸力センサ、軸力センサを備えるロボットグリッパーおよびロボットを提供することを目的とする。
【０００５】
上記課題を解決するために、本発明で採用される技術案は軸力センサを提供する。該軸力センサは、感知膜と、少なくとも２つの信号組とを含む。感知膜は、内輪、外輪、および内輪と外輪との間に接続された接続部材を含む。接続部材は、検出される軸力の方向において他の荷重方向よりも柔軟である。各信号組は、信号送信機および信号受信機を含む。信号送信機は、内輪および外輪の一方に接続される。信号受信機は、内輪および外輪の他方に接続される。
【０００６】
上記課題を解決するために、本発明で採用される他の技術案はロボットグリッパーを提供する。該ロボットグリッパーは、キャッチ機構と軸力センサとを含む。軸力センサは、キャッチ機構に作用する力を測定するために利用する。軸力センサは、感知膜と、少なくとも２つの信号組とを含む。感知膜は、内輪、外輪、および内輪と外輪との間に接続された接続部材を含む。接続部材は、その検出される軸力の方向において他の荷重方向よりも柔軟である。各信号組は、信号送信機および信号受信機を含む。信号送信機は、内輪および外輪の一方に接続される。信号受信機は、内輪および外輪の他方に接続される。
【０００７】
上記課題を解決するために、本発明で採用される他の技術案は、少なくとも１つの軸力センサを備えるロボットを提供する。軸力センサは、感知膜と、少なくとも２つの信号組とを含む。感知膜は、内輪、外輪、および内輪と外輪との間に接続された接続部材を含む。接続部材は、その検出される軸力の方向において他の荷重方向よりも柔軟である。各信号組は、信号送信機および信号受信機を含む。信号送信機は、内輪および外輪の一方に接続される。信号受信機は、内輪および外輪の他方に接続される。
【０００８】
本発明によれば、軸力センサは、複数組の信号送信機および信号受信機を含む。これらの信号送信機および信号受信機は、軸外荷重の解消および温度補償に用いることができる。これにより、軸力センサは、それに作用する軸力をより正確に測定することができる。
【図面の簡単な説明】
【０００９】
以下、本発明の実施形態における技術案を明確に説明するために、実施形態の説明において使用される図面を簡単に説明する。以下の説明における図面は、本発明の例示的な実施形態に過ぎない。当業者はこれらの図面に基づいて創造的な作業なしに他の実施形態を得ることもできるであろう。
【００１０】
【図１】本発明の一実施形態に係る軸力センサの概略図である。
【図２】本発明の一実施形態に係る軸力センサの感知膜の概略図である。
【図３】本発明の一実施形態に係る軸力センサの断面図であり、シールド構造を例示的な構造として示す図である。
【図４】本発明の一実施形態に係る軸力センサの断面図であり、ハードストップを例示的な構造として示す図である。
【図５】本発明の一実施形態に係る軸力センサに取り付けられた２つの信号組の例示的な配置を示す図である。
【図６】本発明の一実施形態に係る軸力センサに取り付けられた２つの信号組の例示的な配置を示す図である。
【図７】本発明の一実施形態に係る軸力センサにおける信号組の一例示的な構成を示す図である。
【図８】本発明の一実施形態に係る軸力センサにおける信号組の一例示的な構成を示す図である。
【図９】本発明の一実施形態に係る軸力センサにおける信号組の一例示的な構成を示す図である。
【図１０】本発明の一実施形態に係るグリッパーの概略図である。
【図１１】本発明の一実施形態に係るロボットの概略図である。
【発明を実施するための形態】
【００１１】
次に、添付の図面および実例を参照して本発明を詳細に説明する。説明される実施形態は、例示的なものに過ぎず、本発明の実施形態のサブセットを表す。当業者は本発明の実施形態に基づいて創造的な作業なしに他の実施形態を想到することができ、これらの実施形態はすべて本発明の範囲に属する。
【００１２】
図１を参照する。本発明の実施形態に係る軸力センサ１００が示されている。軸力センサ１００は、感知膜１０、保持構造３０、シールド構造４０およびハードストップ５０を含む。図２に示すように、感知膜１０は、内輪１１、外輪１２、接続部材１３および中心孔１４を含む。接続部材１３は、内輪１１と外輪１２との間に接続されてもよい。一実施形態において、感知膜１０は１つ以上の頑丈な材料（例えば、アルミニウム合金、チタン合金、およびステンレス鋼合金）からなるものでもよい。接続部材１３は、検出される軸力の方向において、他の荷重方向よりも柔軟である。例えば、接続部材１３は、感知膜１０の軸方向において適度に柔軟であるが、他の荷重方向においてはかなり堅い（例えば、他の荷重方向において力およびモーメントに対して剛性が高い）。したがって、軸力以外の力やモーメントは、構造を大幅に歪ませてセンサの出力を変更することができない。
【００１３】
図３は、信号組２０を示す、軸力センサ１００の例示的な断面図である。信号組２０が示されている。各信号組２０は、信号送信機２１および信号受信機２２を含む。信号送信機２１および信号受信機２２は、感知膜１０の異なる部分に接続されてもよい。すなわち、一例では、信号送信機２１が感知膜１０の内輪１１に接続されている場合には、信号受信機２２が感知膜１０の外輪１２に接続されてもよい。他の例では、信号送信機２１が感知膜１０の外輪１２に接続されている場合には、信号受信機２２が感知膜１０の内輪１１に接続されてもよい。感知膜１０の外輪１２（または内輪１１）に軸方向荷重が加えられると、外輪１２は内輪１１に対して歪み、信号受信機２２の読み取り値が変化する。
【００１４】
一実施形態において、軸力センサ１００は、２つの信号組２０のみを含む。２つの信号組２０は、感知膜１０の円周方向に沿って対向して配置されてもよい。感知膜１０に軸方向荷重が加えられると、２つの信号組２０は反対の信号変化傾向を示す。従って、合力は、一方を他方から差し引いてから２で割ることによって（例えば、差動出力を計算することによって）導出することができる。感知膜１０に軸外荷重（例えば、曲げモーメント）が加えられると、２つの信号組２０は同じ信号変化傾向を示す。従って、この荷重による歪みは、一方を他方から差し引くことにより互いに打ち消される。他の例では、温度変化による信号変化は、２つの信号組を同じ傾向で変化させるので、一方を他方から差し引くことにより、温度変化の影響も抑制することができる。ほとんどの非抵抗性感知方法は温度変化に敏感ではないので、完全に打ち消されなくてもセンサに対する温度変化の影響は小さくなる。
【００１５】
本発明の様々な例において、より多くの組（例えば、３組、４組、またはそれ以上）の信号送信機２１および信号受信機２２を使用してもよい。このような例では、より正確な軸外荷重の解消および温度補償方法を行えるようにすることによって、複数組の信号送信機２１および信号受信機２２の使用で、軸力センサ１００がそれに作用する軸力をより正確に測定することができるようになる。一例では、信号送信機２１および／または信号受信機２２は、誘導性、容量性、抵抗性、光学的であってもよく、または他の信号形態を使用してもよい。一実施形態では、信号送信機２１は磁石であってもよく、信号受信機２２はそれに対応するホール効果センサであってもよい。
【００１６】
ホール効果センサは以下のように動作する。ホール効果センサは、磁化軸に垂直な（すなわち、図５のＹ軸方向の）磁場強度を検出し、そして、磁石の磁化軸（すなわち、図５で紙面を出入りするＺ軸）に沿って移動可能である場合には、センサの変位とセンサにより検出された磁場強度との関係は実質的に線形である。ホール効果センサは、磁化軸に垂直な（すなわち、図５のＹ軸方向の）磁場強度を検出し、そして、磁石の磁化軸に垂直な方向（すなわち、図５のＹ軸）に沿って移動可能である場合には、検出された磁場強度とセンサの変位との関係は線形性が低く、多項式の関数などの非線形関数でモデル化することができる。
【００１７】
また、ホール効果センサは、磁化軸に垂直な（すなわち、図５のＹ軸方向の）磁場強度を検出し、そして、磁石の磁化軸に垂直な第２の垂直方向（すなわち、図５のＸ軸方向）に沿って移動可能である場合には、その検出された磁場強度が変化しない。したがって、信号送信機２１が磁石であり、信号受信機２２がホール効果センサである該実施態様において、信号送信機２１および信号受信機２２を適切に配置し、信号受信機２２により検出された磁場強度を測定することによって、外輪１２の内輪１１に対する軸力センサの軸方向における変位を導出することができる。さらに、この変位と、軸力センサ１００に作用する軸力との関係を取得することができる（例えば、軸力センサ１００をモデル化したり、または軸力センサ１００のプロトタイプをテストすることにより）。したがって、軸力センサ１００に作用する軸力は、信号組２０の信号受信機２２の読み取り値に基づいて取得することができる。
【００１８】
図５を参照し、一実施形態では、磁石２１ａ（すなわち、信号送信機２１ａ）の磁化方向は、磁石２１ｂ（すなわち、信号送信機２１ｂ）の磁化方向と反対であってもよい。また、磁石２１ａおよび２１ｂの磁化方向はいずれも感知膜１０の延長方向と実質的に垂直でもよい。すなわち、磁石２１ａおよび２１ｂの磁化方向は、軸力センサ１００の軸方向と平行であってもよい。
【００１９】
図５及び図６に示すように、ホール効果センサ２２ａおよび２２ｂ（すなわち、信号受信機２２ａおよび２２ｂ）は、感知膜１０の径方向において対応する磁石２１ａおよび２１ｂから離間して配置されてもよい。これにより、軸力センサ１００に軸力が加えられると、ホール効果センサ２２ａおよび２２ｂは、軸力センサ１００の軸方向において磁石２１ａおよび２１ｂに対して移動することができる。したがって、ホール効果センサ２２ａおよび２２ｂの変位と、その検出された磁場強度との関係は、実質的に線形となる。これは、構造のモデル化および軸力の計算を容易にする。他の実施形態において、２つの信号組２０は、軸力センサ１００に軸力が加えられたときに同じ信号変化傾向を示すように配置されてもよい。この場合、上記の減算方法はもはや適用できなくなるが、２つの信号組２０の出力は、多項式フィッティングを適用するなどして、異なる方法で処理することができる。
【００２０】
なお、図５および６に示される信号組２０の配置は例示に過ぎず、信号組２０は他の構成で配置されてもよい。例えば、図７〜図９は軸力センサ１００の各信号組２０のいくつかの可能な構成を示す。ここで、Ｚ方向は軸力センサ１００の軸方向を表し、Ｙ方向は軸力センサ１００の径方向を表す。これらの構成のいくつかでは、ホール効果センサ（すなわち、信号受信機２２）の対応する磁石（すなわち、信号送信機２１）に対する軸方向変位と、その検出された磁場強度との関係は、線形ではない場合がある。しかしながら、ホール効果センサの相対的な軸方向変位がその検出された磁場強度の値に大きく影響する限り、それを利用して軸力センサ１００に加えられる軸力を計算することができる。
【００２１】
図１から図４を参照する。軸力センサ１００の保持構造３０は、中軸３１および支持板３２を含む。一態様において、保持構造３０は剛性材料からなる。例えば、保持構造３０は、感知膜１０と同じ材料から構成されていてもよい。感知膜１０の内輪１１には、中心孔１４が設けられてもよい。中軸３１は中心孔１４を貫通してもよく、一例では内輪１１に接続されてもよい。支持板３２は中軸３１に接続されてもよく、感知膜１０と実質的に平行に延びてもよい。
【００２２】
一態様において、保持構造３０および感知膜１０は、独立の部材である。他の態様において、保持構造３０および感知膜は、１つの部材として製造することができる。一例では、保持構造３０は、軸力センサ１００の構成部材を設置するためのより多くのスペースを形成することができ、軸力センサ１００と他の外部構成部材との接続を容易にすることができる。例えば、軸力センサ１００はロボットのアクチュエータに適用され、保持構造３０はモータアセンブリの被駆動端またはアクチュエータの出力端（例えば、出力フランジ）に接続されてもよい。
【００２３】
一実施形態において、図３に示すように、信号送信機２１は外輪１２に取り付けられ、信号受信機２２は、支持板３２に取り付けられ、感知膜１０の軸方向または径方向において信号送信機２１と位置合わせされている。これらの実施形態では、保持構造３０は感知膜１０の内輪１１に接続されているので、信号受信機２２も間接的に内輪１１に接続されている。他の実施形態において、信号受信機２２は外輪１２に取り付けられ、信号送信機２１は支持板３２に取り付けられ、感知膜１０の軸方向または径方向において信号受信機２２と位置合わせされている。このような他の実施形態では、信号受信機２２は外輪１２に接続され、信号送信機２１は内輪１１に接続される。
【００２４】
一実施形態において、軸力センサ１００は、シールド構造４０をさらに含む。一態様では、シールド構造４０は、支持板３２に取り付けられ、感知膜１０の円周方向において信号組２０に対応して配置されてもよい。シールド構造４０は、信号組２０を封止して信号組２０を信号中断および／または干渉から保護することができる。一例では、シールド構造４０の構造および材料は、信号組２０のタイプに基づくものである。例えば、信号組２０に磁気信号を用いる場合には、シールド構造４０は、スーパーマロイ（ｓｕｐｅｒ  ｍａｌｌｏｙ）、スーパーミューメタル合金（ｓｕｐｅｒ  ｍｕｍｅｔａｌ  ａｌｌｏｙ）、ＳＡＮＢＯＬＤ、パーマロイ（ｐｅｒｍａｌｌｏｙ）、炭素鋼、マルテンサイト鋼などの高透磁率材料から作製することができる。信号組２０に光信号を用いる場合には、シールド構造４０は、遮光材料（不透明なプラスチック、金属、またはゴムなど）から作製することができる。なお、他の実施形態では、シールド構造４０は代替的に感知膜１０に取り付けられてもよく、本発明はそれに限定されない。
【００２５】
一実施形態において、軸力センサ１００は、ハードストップ５０をさらに含む。ハードストップ５０は、支持板３２に取り付けられ、感知膜１０の外輪１２を取り囲むことができる。ハードストップ５０は、例えばＣ字形状の構造を有してもよい。他の例では、ハードストップ５０は、様々な適切な構成をいくらでも採りうる。いくつかの実施態様では、ハードストップ５０と外輪１２の上側および下側の両方との間にクリアランス（図示せず）が存在し、ハードストップ５０は、外輪１２の過度の歪みを防止するために利用される。過負荷に起因した過度の歪みが発生すると、剛性の高いハードストップ５０は、外輪１２のそれ以上の歪みを防止して、感知膜１０を降伏および疲労から保護することができる。一例では、図示のように、軸力センサ１００は１つのハードストップ５０だけを含む。他の例では、軸力センサ１００は、複数のハードストップ５０を含む。
【００２６】
本発明は、さらに、ロボットグリッパーを提供する。図１０に示すように、ロボットグリッパー７００は、キャッチ機構７０１と軸力センサ７０２とを含む。軸力センサ７０２は、キャッチ機構７０１に作用する力を測定するために利用する。軸力センサ７０２の構造および機能は、上記の実施形態のいずれの軸力センサ（例えば、例示的な軸力センサ１００）と同様であってもよい。ロボットグリッパー７００は、駆動アセンブリ７０３およびシェル７０４をさらに含む。駆動アセンブリ７０３は、軸力センサ７０２に接続され、キャッチ機構７０１を駆動するように構成されることができる。キャッチ機構７０１及び駆動アセンブリ７０３は、シェル７０４に任意の適切な方法で取り付けられることができる。図１０に示されるロボットグリッパー７００の構造は単に例示的なものであり、本発明の範囲を限定することを意図するものではないことを、当業者は理解すべきである。軸力センサ７０２は、本発明の他の例において、任意の適切な構造および構成のロボットグリッパーと共に使用することができる。
【００２７】
本発明は、さらに、少なくとも１つの軸力センサを備えるロボットを提供する。図１１に示すように、ロボットグリッパー８００は、複数のロボットアーム８０１およびエンドエフェクタ８０２を含む。エンドエフェクタ８０２はグリッパーであってもよく、該グリッパーにはグリッパーの把持力を測定する軸力センサ（図示せず）が取り付けられてもよい。例えば、エンドエフェクタ８０２は、上記のような軸力センサ７０２を用いるロボットグリッパー７００であってもよい。他の例では、エンドエフェクタ８０２は、本明細書に記載されるような任意の適切な軸力センサを用いる任意の他の適切なグリッパーであってもよい。さらに、ロボット８００は、実際の設計要件に基づいて、（例えば、アクチュエータ内に設けられる）他の力センサを含む。少なくとも１つの該軸力センサは、構造が上記の実施形態のいずれかの軸力センサと同様であってもよい。
【００２８】
当業者は、さらなる詳細な説明がなくても、前述の説明を使用して本発明を最大限に利用することができると考えられる。本明細書に開示される実施例および実施形態は、単なる例示として解釈されるべきであり、いかなる方法においても本発明の範囲を限定するものではない。上述の実施形態の詳細事項を、説明の基本原理から逸脱することなく変更することができることは、当業者にとって自明である。すなわち、上記の明細書に具体的に記載された実施形態の種々の変更及び改良は、全て請求項の範囲内である。例えば、記載された様々実施形態の特徴に対して任意で適切に組み合わせることが予想できるものである。
【図１】
2021534425.tif 000003
【図２】
2021534425.tif 000004
【図３】
2021534425.tif 000005
【図４】
2021534425.tif 000006
【図５】
2021534425.tif 000007
【図６】
2021534425.tif 000008
【図７】
2021534425.tif 000009
【図８】
2021534425.tif 000010
【図９】
2021534425.tif 000011
【図１０】
2021534425.tif 000012
【図１１】
2021534425.tif 000013
【国際調査報告】
2021534425.tif 000014